(57)【要約】【課題】ペットの排泄行為に伴う飼育者の排泄物処理作業の負担を軽減することができるペット排泄物処理用積層シートを提供すること。【解決手段】本発明のペット排泄物処理用積層シート１は、複数枚の排泄物処理用シート１Ａ，１Ｂが、重ねられ且つ一部分で相互に固着されていると共に、排泄物処理用シートどうし１Ａ，１Ｂを分離可能になされている。また、性能が異なる２種類の排泄物処理用シート１Ａ，１Ｂを用いることもできる。この性能の相異は、例えば、消臭性能又は吸収性能の違いである。複数枚の排泄物処理用シート１Ａ，１Ｂは、例えば、熱融着、エンボス加工又は接着剤により相互に固着されている。【選択図】図３
2010119313.tif 000002
【特許請求の範囲】
【請求項１】
複数枚の排泄物処理用シートが、重ねられ且つ一部分で相互に固着されており、
前記排泄物処理用シートどうしを分離可能になされているペット排泄物処理用積層シート。
【請求項２】
複数枚の排泄物処理用シートのうちの少なくとも一枚は、他の排泄物処理用シートと性能が異なる、請求項１に記載のペット排泄物処理用積層シート。
【請求項３】
前記性能の相異は、消臭性能又は吸収性能の違いである請求項２記載のペット排泄物処理用積層シート。
【請求項４】
前記消臭性能の違いが、香料成分、吸水性ポリマー及び木粉ペレットの何れか一以上の配合量の違いにより発現される請求項３記載のペット排泄物処理用積層シート。
【請求項５】
前記吸収性能の違いが、吸水性ポリマー及び／又はパルプの含有量に基づく総吸収量の違いである請求項３記載のペット排泄物処理用積層シート。
【請求項６】
前記排泄物処理用シートどうしを、ミシン目の破断により分離する請求項１〜５の何れかに記載のペット排泄物処理用積層シート。
【請求項７】
前記排泄物処理用シートが相互に固着された固着部における排泄物処理用シートどうしの接合強度が１０〜３００ｇ／３０ｍｍである、請求項１〜５の何れかに記載のペット排泄物処理用積層シート。
【発明の詳細な説明】
【技術分野】
【０００１】
近年、犬や猫等のペットを室内で飼育することが広く行われており、このようなペットの尿や糞で床を汚さないようにするための使い捨てのペット排泄物処理用シートも知られている。例えば、特許文献１には、吸水シート層と、この吸水シート層の下面と接触するように配置された防水シート層とを有するペット排泄物処理用シートが開示されている。
従来のペット排泄物処理用シートは、特許文献１に開示されるようなロール状に巻回された状態とされたり、折り畳まれて包装袋に収納された状態とされて、市販等されている。折り畳まれて包装袋に収納される場合、通常、１枚毎に畳まれたものが複数枚積層されて収納されている。
【０００２】
【特許文献１】実開平２−１２７１５５号公報
【発明の開示】
【発明が解決しようとする課題】
【０００３】
しかし、上述した従来のペット排泄物処理用シートでは、床やペット用の専用トイレに、包装袋から取り出したシートを設置してペットに排泄行為をさせた後、排泄物が付着したシートを廃棄し、同じ場所に新たなシートを敷設するという作業を、ペットの排泄量や排泄の頻度にもよるが、通常、一日に複数回行わなければならないことが多く、その作業に、手間がかかるという問題があった。そのため、ペットの排泄行為に伴う処理作業負担の軽減を図る必要があった。
【０００４】
従って、本発明の目的は、ペットの排泄行為に伴う飼育者の排泄物処理作業の負担を軽減することができるペット排泄物処理用積層シートを提供することにある。
【課題を解決するための手段】
【０００５】
本発明は、複数枚の排泄物処理用シートが、重ねられ且つ一部分で相互に固着されており、前記排泄物処理用シートどうしを分離可能になされているペット排泄物処理用積層シートを提供することにより前記目的を達成したものである。
【発明の効果】
【０００６】
本発明のペット排泄物処理用積層シートによれば、ペットの排泄行為に伴う飼育者の排泄物処理作業の負担を軽減することができる。
【発明を実施するための最良の形態】
【０００７】
以下、本発明を、その好ましい実施形態に基づいて、図面を参照しながら説明する。
図１は、本発明の一実施形態であるペット排泄物処理用積層シート１（以下、単に積層シート１ともいう）を一部破断して示す平面図であり、該積層シート１は、複数枚の排泄物処理用シート１Ａ，１Ｂ，１Ａ，１Ｂが、重ねられ且つ一部分で相互に固着された構造を有している。
【０００８】
積層シート１は、相互に大きさが異なる２種類の排泄物処理用シート１Ａ，１Ｂをそれぞれ２枚含んでおり、排泄物処理用シート１Ａと排泄物処理用シート１Ｂとは、図３に示すように、積層シート１の厚み方向に交互に配置されている。
【０００９】
積層シート１は、平面視して長方形状を有しており、該長方形の３辺に位置する各端部Ｈ１〜Ｈ３に、該積層シート１を構成する４枚の排泄物処理用シート１Ａ，１Ｂ，１Ａ，１Ｂが相互に固着された固着部を有している。その固着部においては、積層された４枚の排泄物処理用シートが熱融着により一体化されている。
【００１０】
排泄物処理用シート１Ａは、積層シート１の前記端部Ｈ１〜Ｈ３それぞれより、積層シート１の中央側に、排泄物処理用シートどうしを分離可能とするためのミシン目１４を有している。図１を参照して説明すると、積層シート１の中央側とは、端部Ｈ１に対しては該端部Ｈ１より下側、端部Ｈ２に対しては該端部Ｈ２より右側、端部Ｈ３に対しては該端部Ｈ３より左側である。ミシン目１４は、全体としてコ字状に形成されている。
【００１１】
排泄物処理用シート１Ｂは、長方形の長辺の長さが、排泄物処理用シート１Ａより長く、積層状態において、図１に示すように、排泄物処理用シート１Ａの一端から延出する部分を有している。それ以外は、排泄物処理用シート１Ａと同様の構造を有しており、排泄物処理用シート１Ｂにも、排泄物処理用シート１Ａと同様のミシン目１４が形成されている。
ミシン目１４は、排泄物処理用シート１Ａ，１Ｂそれぞれの厚み方向全体を貫くように形成されている。また、積層シート１においては、排泄物処理用シート１Ａのミシン目１４は、排泄物処理用シート１Ｂのミシン目１４と重なる位置に形成さている。
尚、排泄物処理用シート１Ａと排泄物処理用シート１Ｂとは長さが相異するが、幅は同一にされている。勿論、排泄物処理用シート１Ａの幅を排泄物処理用シート１Ｂの幅より狭くしてもよい。
【００１２】
各排泄物処理用シート１Ａ，１Ｂは、それぞれ、上層シート１１、下層シート１２及びこれら両シート１１，１２間に配された吸収体１３から構成されており、これらは、ホットメルト接着剤等の接着剤により層間が接着されて一体化されている。
上層シート１１と下層シート１２とは、排泄物処理用シート１Ａ，１Ｂ毎に同一形状及び大きさにされている。
【００１３】
排泄物処理用シート１Ａ，１Ｂに用いられる上層シート１１と下層シート１２の材料としては、従来この種の製品に用いられている材料と同様のものを用いることができる。例えば上層シート１１として、液透過性のシート材料を用いることができる。シート材料の素材としては、例えばポリエチレンやポリプロピレン等のポリオレフィン系樹脂、ポリエチレンテレフタレート等のポリエステル系樹脂、ポリアミド系樹脂などの各種熱可塑性樹脂が挙げられる。これらの素材からなるシート材料は、例えば繊維シート、フィルム、これらの積層体の形態であり得る。シート材料が撥水性の素材から構成されている場合には、各種親水化剤による親水化処理を施してもよい。
【００１４】
前記のシート材料が繊維シートである場合、該繊維シートとしては、織布及び不織布の何れも用いることができる。ペット用シートが使い捨てのものであることを考慮すると、経済性の観点から該繊維シートとして不織布を用いることが好適である。繊維シートとして不織布を用いる場合、該不織布としては、例えばスパンボンド不織布、エアスルー不織布、スパンレース不織布、ニードルパンチ不織布、ケミカルボンド不織布などを用いることができる。これらの不織布のうち、強度が高く、また液透過性が良好な不織布であるスパンボンド不織布を用いることが好ましい。
【００１５】
前記の繊維シートは繊維間に空隙を有しているので、この空隙を通して液を透過させることが可能である。しかし、該繊維シートに開孔処理を施して多数の開孔を規則的又は不規則に形成し、液の透過を一層確実にしてもよい。シート材料がフィルムである場合には、液の透過を確保するために、該フィルムに開孔処理を施して多数の開孔を規則的又は不規則に形成することが必要である。これら繊維シートやフィルムに形成される開孔は、平面的なものでもよく、或いは漏斗状の立体的なものでもよい。特に開孔が立体的であると、吸収体に吸収された液の上層シート表面への逆戻り、すなわちウエットバックが起こりにくくなるので有利である。
【００１６】
上層シート１１を構成するシート材料は、それが繊維シートであるか或いはフィルムであるかまたその色を問わず、その坪量が１０〜５０ｇ／ｍ2、特に１５〜２５ｇ／ｍ2であることが上層シート１１の十分な強度の確保及び原料コストやシートの厚み感の観点から好ましい。
【００１７】
下層シート１２としては、熱可塑性樹脂からなる液不透過性のフィルムを用いることができる。また、このフィルムに不織布等を積層してもよい。或いは下層シート１２として、スパンボンド−メルトブローン−スパンボンド不織布のような撥水性のシート材料を用いてもよく、その色についても問わない。下層シート１２は、その坪量が１０〜５０ｇ／ｍ2、特に１５〜３０ｇ／ｍ2であることが、下層シート１２の十分な強度の確保の観点、十分な液遮断性の確保、そして製品シートの厚み及び取り扱い性の観点から好ましい。
【００１８】
吸収体１３としては、吸液素材、例えばフラッフパルプ、吸水性ポリマー、それらの混合積繊体などを用いることができる。ここで、吸水性ポリマーとしては、各種公知のものを特に制限なく用いることができ、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。また、繊維材料としては、各種公知のものを特に制限なく用いることができ、例えば、パルプ繊維、レーヨン繊維やコットン、酢酸セルロース等の親水性繊維等を用いることができ、これらには、ポリエチレン、ポリプロピレン等のポリオレフィン系繊維、ポリエステル、ポリアミド等の縮合系繊維、塩化ビニル、酢酸ビニル等のビニルモノマー重合体の繊維等を混在させてもよい。
【００１９】
特に、フラッフパルプと吸水性ポリマーの混合積繊体を用いると、十分な吸収容量を確保し得る観点から好ましい。この混合積繊体を用いる場合、その周囲をティッシュペーパーなどの吸収紙で被覆することが、該混合積繊体の保形性の確保や、吸水性ポリマーの脱落防止の観点から好ましく、該ティッシュペーパーに各種の色を配することで、その場所がトイレであると認識し易くなると共に、室内のインテリアとしても有効なものとなる。
【００２０】
本実施形態の積層シート１は、これを構成する複数枚の排泄物処理用シート１Ａ，１Ｂ，１Ａ，１Ｂを一体的に折り曲げて折り畳んだものを、更に複数枚積層した状態で包装袋や容器等に収容して市場に流通（市販等）させることが、コンパクトな形態で、運搬、商品陳列、保管等することができる観点から好ましい。
【００２１】
本実施形態の積層シート１は、単独状態で床に敷いて使用することもできるし、該積層シート１を、当初の敷設位置から移動しないように保持する保持具に保持させた状態で使用することもできる。
図２及び図３には、この積層シート１を、トレイ状の保持具２に保持させた状態が示されており、図４には、保持具２に保持させた状態の積層シート１から、該積層シート１を構成する排泄物処理用シート１Ａ，１Ｂを上から順に取り出す様子が示されている。
【００２２】
図２〜図４に示す保持具２及び該保持具２を用いた積層シート１の使用方法について説明する。
保持具２は、全体としてトレイ状の形態を有し、平面状に拡げた状態の積層シート１を内部に収容できると共に、その積層シート１の周縁部を上下から挟持して固定することができるものであり、その状態でカーペットや絨毯等からなる室内の床面に載置して使用することができる。
【００２３】
保持具２は、図２に示すように、平面視して長方形状であり、四隅には丸みが形成されている。保持具２の材質としては、プラスチック、木材、又はセラミックなど各種の材料を採用することができる。尚、図２中には、長方形状の破線が２本描かれているが、外側の破線Ｂ１は積層シート１の外形を表しており、内側の破線Ｂ２は排泄物処理用シート１Ａ又は１Ｂを分離する際のミシン目１４を表している。
【００２４】
保持具２は、図３に示すように、底部２１と枠部２２から構成されている。底部２１は、積層シート１（換言すれば、複数枚の排泄物処理用シート１Ａ，１Ｂ）を載置するトレイ土台２１ａと、このトレイ土台２１ａの周縁部近傍から立設した突起部２１ｂとを有している。突起部２１ｂの外側面には溝部２１ｂ１が形成され、この溝部２１ｂ１に、枠部２２の突起２２ａが嵌合するようになされている。枠部２２は、トレイ土台２１ａ上に載置した積層シート１上に覆い被せるようにして、底部２１に対して固定することができ、その固定状態においては、枠部２２の開口部周縁部の下面に突設された抑え部２２ｂが、積層シート１の周縁部を上方から加圧しており、それにより、該積層シート１が、拡げた状態に安定に保持される。
図３では、枠部２２の抑え部２２ｂが、最上層の排泄物処理用シート１Ａの上面と当接している。最上位の排泄物処理用シート１Ａを分離しても抑え部２２ｂ付近のシートは分離しないでそのままの状態で残るため、抑え部２２ｂは常に排泄物処理用シート１Ａ，１Ｂの積層体であるペット排泄物処理用積層シート１を保持することができる。
なお、排泄物処理用シート１Ａ，１Ｂに形成されるミシン目は、最下層の排泄物処理用シート１Ｂには形成しなくてもよい。また、枠部２２は、その一部が、底部２１に対してヒンジ等で連結されているものであっても、底部２１から完全に取り外すことができるものであっても良い。
【００２５】
図４には、保持具２に保持させた状態の積層シート１から、該積層シート１の最上層を構成する排泄物処理用シート１Ａを分離する様子が示されている。
より具体的には、ペット飼育者が、ペット排尿後の排泄物処理用シート１Ａの一端を把持し、捻りを加えながら該排泄物処理用シート１Ａを持ち上げ、該排泄物処理用シート１Ａのミシン目１４を破断しながら、該排泄物処理用シート１Ａを、残りの排泄物処理用シート１Ｂから分離している状態が示されている。
このようにして、積層シート１の最上層の排泄物処理用シート１Ａを分離すると、未使用状態の次の排泄物処理用シート１Ｂが表面に現れる。その排泄物処理用シート１Ｂについても、ペットの排泄後に、排泄物処理用シート１Ａと同様にして、保持具２に残る他の排泄物処理用シート１Ａ，１Ｂから分離することができる。尚、排泄物処理用シート１Ａ，１Ｂの一端を把持するときには、枠部２２に形成した円弧状の切欠部２ａに指を挿入し、排泄物処理用シート１Ａ又は１Ｂの端部を摘むようにすると把持し易い。
本実施形態の積層シート１は、例えば、このようにして、その一方の面側から排泄物処理用シート１Ａ，１Ｂを順次分離していくことができる。
【００２６】
本発明のペット排泄物処理用積層シートは、性能の異なる複数種類の排泄物処理用シートを組み合わせて用いることも好ましい。例えば、上述した実施形態の積層シート１においては、排泄物処理用シート１Ａと排泄物処理用シート１Ｂとで、性能を異ならせることもできる。
異ならせる性能としては、消臭性能、吸収性能、そして表面シート強度（犬の悪戯による引っ掻き防止など）等が挙げられ、これら２種以上の性能を異ならせることもできる。
例えば、消臭性能のある排泄物処理用シート１Ａ又は１Ｂと、それより消臭性能は劣るが吸収性能は高い排泄物処理用シート１Ｂ又は１Ａとを重ね合わせることもできる。
また、日中等にシートを悪戯して破いてしまうことが多いペットの場合には、その時間帯に合わせて表面シート強度の強いシートが最上面にくるように設置するということも使い勝手の面から工夫することができる。
【００２７】
シートの消臭性能の違いは、例えば、１）香料成分の配合量を異ならせる方法、２）吸水性ポリマーの配合量を異ならせる方法、３）単位あたりの吸収量の異なる吸水性ポリマーを配合する方法、４）木粉ペレットを配合する場合にはその配合量を異ならせる方法、５）これらの方法の２種以上を組み合わせた方法等により発現させることができる。香料の種類としては、特に制限はなく、例えば、特開２００７−２２９１５１号公報記載の各種の物質を用いることができる。
また、シートの吸収性能の違いは、例えば、吸水性ポリマーの含有量や種類、又はパルプ量を異ならせることで総吸収量の違いとして発現させることができる。
更には、尿臭（アンモニア臭）については、吸水性ポリマーの含有量によっても、その違いを発現することができる。
【００２８】
例えば、共稼ぎや一人暮らしで、排泄物処理用シート１Ａ，１Ｂの取替えを朝夜の１日に２回行う場合、排泄物処理用シート１Ａには高吸収性シート、排泄物処理用シート１Ｂに消臭力に優れたシートが好適に用いられる。この場合、排泄物処理用シート１Ａ，１Ｂからなる積層シート１を夜のうちに設置しておくと、急がしい朝の作業を、排泄物処理用シート１Ａを分離して廃棄するという簡単な作業で終わらせることができる。
上層に高吸収性シートを用いるのは、朝に排出されるペットの大量の尿を吸収するためであり、下層に消臭力に優れたシートを用いるのは、日中ペットの尿を数回に渡り吸収する必要が生じることがあるため、飼い主が帰宅した時に尿のニオイが気にならないようにするためである。
【００２９】
また、上層に高吸収性シートを用い、下層にそれより低吸収性のシートを用いるようにしてもよい。上層に高吸収性シートを用いるのは、朝一番の大量の尿を吸収するためであり、下層に通常吸収性シートを用いるのは、半日分程度の尿の吸収に対応するためである。吸収性能は、パルプ量やポリマー量を調整することにより変化させることができる。また、上層に通常消臭性シートを用い、下層に高消臭性シートを用いてもよい。上層に通常消臭性シートを用いるのは、朝一回分の尿の消臭に対応するためであり、下層に高消臭性シートを用いるのは、日中の長時間、数回排泄された尿の消臭に対応するためである。その他、各種組み合わせを適用することができる。
【００３０】
上述した実施形態の積層シート１においては、複数枚の排泄物処理用シート１Ａ，１Ｂが、重ねられ且つ一部分で相互に固着されており、それらの排泄物処理用シート１Ａ又は１Ｂを分離可能であるため、各排泄物処理用シートの濡れ具合や汚れ具合等に応じて、適宜に分離して使用することで、ペットの排泄行為に伴う飼育者の排泄物処理作業の負担を軽減することができる。特に、積層シート１においては、排泄物処理用シート１Ａ，１Ｂを、積層シート１の片面側から順次分離可能になされているので、排泄物処理作業を一層効率的に行うことができる。
また、上述した実施形態では、排泄物処理用シート１Ａと排泄物処理用シート１Ｂとで大きさを異ならせてあるため、個々の排泄物処理用シートの取り出しが容易であると共に、排泄物処理用シート１Ａと排泄物処理用シート１Ｂとを交互に重ねてあるので、性能を相互に異ならせて一層効率の良い使用方法も可能である。また、排泄物処理用シートを、３枚以上、特に４枚以上積層してあるので、ペットと共に過ごす時間の長い専業主婦等が、ペットの排便後に毎回取り替えるといった使用方法も可能である。
【００３１】
以上、本発明の好ましい実施形態について説明したが、本発明は上述した実施形態に制限されず、適宜変更可能である。
【００３２】
例えば、上述した実施形態では、長方形状の積層シート１の３辺に位置する各端部Ｈ１〜Ｈ３に固着部を設け、３辺の固着部それぞれの近傍にミシン目を形成したが、図５に示すように、排泄物処理用積層シートの１辺に位置する端部Ｈ１のみに固着部を設け、その固着部の近傍のみにミシン目１４を設けても良く、また、図６に示すように、排泄物処理用積層シートの相対向する２辺に位置する端部Ｈ２，Ｈ３に固着部を設け、それらの固着部それぞれの近傍のみにミシン目１４を設けても良い。また、積層シート１の端部に設ける固着部は、各排泄物処理用シートの周端縁から所定幅（例えば０．１〜２ｃｍ程度）離間させた位置に設けることもできる。更に、排泄物処理用シートどうしの固着部を、積層シートの端部以外の部分に設けることもできる。
【００３３】
また、排泄物処理用積層シートは、中心点を一致させて積層された、大きさが総て同じ排泄物処理用シートからなるものであっても良い。また、大きさの異なる２種類の排泄物処理用シートが、一方の排泄物処理用シートにおける相対向する２辺それぞれから他方の排泄物処理用シートが延出するように積層されていても良い。また、大きさの異なる３種類以上の排泄物処理用シートが積層されたものであっても良く、その場合においても、積層シートの一面を構成する排泄物処理用シートの一辺からの延出量が、積層シートの他面側に向かうに連れて漸次増加するように積層されたものとすることもできる。
【００３４】
また、ペット排泄物処理用積層シートは、性能が同一の複数枚の排泄物処理用シートからなるものであっても良い。例えば、１回又は２、３回の排尿を吸収するのに必要最小限の吸収力を有する排泄物処理用シートを３〜５枚重ねて一組としてもよい。
排泄物処理用シートの積層枚数は、４枚に代えて、２枚又は３枚でも良く、５枚〜１０枚程度であっても良い。ペット排泄物処理用積層シート及びそれを構成する個々の排泄物処理用シートの形状は、長方形に代えて、正方形状とすることもでき、楕円形や円形、角部を丸めた四角形、菱形、ハート型等とすることもできる。
【００３５】
また、個々の排泄物処理用シートは、上層シート、下層シート及びこれら両シート間に配された吸収体を具備するものに限られず、ある程度の吸収容量を持たせた上層シートと防漏性を有する下層シートのみからなるものであっても良く、パルプシートの片面に樹脂層を形成したもの等であっても良い。
また、複数枚の排泄物処理用シートを相互に固着する方法は、熱融着に代えて、エンボス加工、接着剤等であっても良い。また、これらの２以上を組み合わせた方法を用いることもできる。
【００３６】
また、上述した実施形態では、排泄物処理用シート１Ａと排泄物処理用シート１Ｂをミシン目を切断して分離する例であったが、ミシン目以外の方法により、排泄物処理用シートどうしが分離可能になされていても良い。例えば、複数枚の排泄物処理用シートが、手の力で容易に剥離できるような接合強度で相互に固着されていても良い。この場合、その固着部における、排泄物処理用シートどうしの接合強度は、１０〜３００ｇ／３０ｍｍ、特に２０〜１５０ｇ／３０ｍｍとすることが好ましい。
【００３７】
〔接合強度の測定方法〕
１．試験片の作成
固着部（第１の実施形態においてはＨ１〜Ｈ３全て）において、固着部長手方向と平行な方向に３０ｍｍとそれに直交する向きで１００ｍｍの大きさの測定サンプル（試験片）を、固着部の中央部分を含む領域から切り出す（図９参照）。このとき上側及び下側の排泄物処理用シート１Ａ，１Ｂを、各シートの構成要素を除くことなく（第１実施形態においては１１〜１３）カットする（図１０参照）。測定サンプルは、各固着部毎に３枚作成する。
２．測定方法
測定は（株）オリエンテック社製テンシロン（型番：ＯＲＩＥＮＴＥＣ  ＲＴＣ−１２１０Ａ）で行なう。試験片のシート非固着部(第１実施形態では、固着部Ｈ１〜Ｈ３各々の長手方向と直交する向き)の上側の排泄物処理用シート１Ａ側のミシン目部より固着部Ｈ１〜Ｈ３側の下層シート１２と下側の排泄物処理用シート側のミシン目部より固着部Ｈ１〜Ｈ３側の上層シート１１の接合強度が測れるよう、図１１に示すように、試験片をチャックに取り付け、３００ｍｍ/ｍｉｎの速度で引張り、１Ａの１２と１Ｂの１１が完全に分離するまでの間の最大点荷重の値を測定する。３枚の試料について同様の測定を行い、その平均値を、その接合強度とする。
なお、第１実施形態の積層シート１のように、４枚の排泄物処理用シート１Ａ，１Ｂ,１Ａ，１Ｂが固着部で一体化している場合、４枚の処理用シートが一体化された固着部を含む測定サンプルを切り出し、最も上側の処理用シート１Ａと、他の３枚の処理用シート１Ｂ,１Ａ，１Ｂとの間を開いて、接合強度を測定する。
【００３８】
また、上述した実施形態では、トレイ状の保持具２に積層シート１を収納して使用する例について説明したが、保持具２などに収納せずに、単独で用いてもよい。
単独使用で用いる場合、図７に示すように排泄物処理用シート１Ａ，１Ｂを何れも平面状に広げて床に敷設するようにしてもよいし、図８に示すように、一方の排泄物処理用シート１Ｂを床と壁に渡るように敷設し、他方の排泄物処理用シート１Ａを、排泄物処理用シート１Ｂの上に位置させた状態として、使用するようにしても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【図面の簡単な説明】
【００３９】
【図１】図１は、本発明の一実施形態であるペット排泄物処理用積層シートを一部破断して示す平面図である。
【図２】図２は、図１に示すペット排泄物処理用積層シートをトレイ状の保持具に保持させた状態を、使用時における上方から視た平面図である。
【図３】図３は、図２のＩＩＩ−ＩＩＩ線断面を一部省略して示す模式断面図である。
【図４】図４は、保持具に保持させた状態のペット排泄物処理用積層シートから、該積層シートを構成する個々の排泄物処理用シートを取り出す様子を示す図である。
【図５】図５は、本発明の他の実施形態であるペット排泄物処理用積層シートを示す図（図１相当図）である。
【図６】図６は、本発明の更に他の実施形態であるペット排泄物処理用積層シートを示す図（図１相当図）である。
【図７】図７は、ペット排泄物処理用積層シートの使用状態の一例を示す説明図である。
【図８】図８は、ペット排泄物処理用積層シートの使用状態の他の例を示す説明図である。
【図９】図９は、固着部の接合強度を測定するための測定サンプルの切り出し方を示す説明図である。
【図１０】図１０は、固着部の接合強度を測定するための測定サンプルの模式断面図である。
【図１１】図１１は、固着部の接合強度を測定方法の説明図である。
【符号の説明】
【００４０】
１  ペット排泄物処理用積層シート
１Ａ，１Ｂ  排泄物処理用シート
１１  上層シート
１２  下層シート
１３  吸収体
１４  ミシン目
Ｈ１〜Ｈ３  固着部を有する端部
２  トレイ状の保持具
２ａ  切欠部
２１  底部
２１ａ  トレイ土台
２１ｂ  突起部
２１ｂ１  溝部
２２  枠部
２２ａ  突起
２２ｂ  抑え部
【図１】
2010119313.tif 000003
【図２】
2010119313.tif 000004
【図３】
2010119313.tif 000005
【図４】
2010119313.tif 000006
【図５】
2010119313.tif 000007
【図６】
2010119313.tif 000008
【図７】
2010119313.tif 000009
【図８】
2010119313.tif 000010
【図９】
2010119313.tif 000011
【図１０】
2010119313.tif 000012
【図１１】
2010119313.tif 000013